(57)【要約】【課題】副調理者が踏み台を利用している場合においても、主調理者の行動が妨げられてしまうことなく調理が出来るキッチン台を提供すること。【解決手段】本体２の内部に収納される収納位置と該収納位置から外方に向けて引き出された引出位置との間で移動自在に設けられる踏み台１２、踏み台２２を備えるキッチン台１であって、踏み台１２、踏み台２２を出し入れするための出入口１９、出入口２９が、本体２の正面とは異なる側面及び／または背面に設けられている。【選択図】図１
2008228753.tif 000002
【特許請求の範囲】
【請求項１】
本体の内部に収納される収納位置と該収納位置から外方に向けて引き出された引出位置との間で移動自在に設けられる踏み台を備えるキッチン台であって、
前記踏み台を出し入れするための出入口が、本体の正面とは異なる側面及び／または背面に設けられていることを特徴とするキッチン台。
【請求項２】
前記キッチン台の天板における前記本体の正面と側面との角部には、シンクまたは調理部が設けられており、
前記出入口は、前記本体の側面における前記シンクまたは調理部との対向位置下方に配設されていることを特徴とする請求項１に記載のキッチン台。
【請求項３】
前記キッチン台の天板にシンクまたは調理部が設けられており、
前記出入口は、前記本体の背面における前記シンクまたは調理部との対向位置下方に配設されていることを特徴とする請求項１または２に記載のキッチン台。
【請求項４】
前記踏み台の下方には、物品を収納可能な収納部を有する引出体が構成されていることを特徴とする請求項１ないし３のいずれかに記載のキッチン台。
【発明の詳細な説明】
【技術分野】
【０００１】
本発明は、本体の内部に収納される収納位置とこの収納位置から外方に向けて引き出された引出位置との間で移動自在に設けられる踏み台を備えるキッチン台に関する。
【背景技術】
【０００２】
従来のキッチン台には、踏み台を出し入れするための出入り口が設けられ、この出入り口に踏み台が出し入れ可能に組み込まれており、子ども等の副調理者がこの踏み台を利用できるようになっている（例えば、特許文献１参照）。
【０００３】
【特許文献１】特開平１１−１０３９５１号公報（第２頁、第１図）
【発明の開示】
【発明が解決しようとする課題】
【０００４】
しかしながら、特許文献１にあっては、踏み台の出入り口が、キッチン台の調理等を行う正面側において設けられているため、副調理者がこの踏み台を出して利用している場合に、キッチン台を使用する主調理者の行動が、この踏み台により妨げられてしまうという問題があった。
【０００５】
本発明は、このような問題点に着目してなされたもので、副調理者が踏み台を利用している場合においても、主調理者の行動が妨げられてしまうことなく調理が出来るキッチン台を提供することを目的とする。
【課題を解決するための手段】
【０００６】
上記課題を解決するために、本発明の請求項１に記載のキッチン台は、
本体の内部に収納される収納位置と該収納位置から外方に向けて引き出された引出位置との間で移動自在に設けられる踏み台を備えるキッチン台であって、
前記踏み台を出し入れするための出入口が、本体の正面とは異なる側面及び／または背面に設けられていることを特徴としている。
この特徴によれば、例えば主調理者が対峙するキッチン台の本体の正面とは異なる方向を向く側面及び／または背面に踏み台の出入口を設けることで、主調理者の行動を妨げることなく、子供等の副調理者が踏み台を利用して主調理者とともに調理作業を行うことができる。
【０００７】
本発明の請求項２に記載のキッチン台は、請求項１に記載のキッチン台であって、
前記キッチン台の天板における前記本体の正面と側面との角部には、シンクまたは調理部が設けられており、
前記出入口は、前記本体の側面における前記シンクまたは調理部との対向位置下方に配設されていることを特徴としている。
この特徴によれば、主調理者はシンクまたは調理部を本体の正面側から利用しているときでも、子供等の副調理者は踏み台を利用して、同じシンクまたは調理部を本体の側面側、つまり主調理者とは別の方向から利用することができるため、主調理者の行動を妨げることがない。
【０００８】
本発明の請求項３に記載のキッチン台は、請求項１または２に記載のキッチン台であって、
前記キッチン台の天板にシンクまたは調理部が設けられており、
前記出入口は、前記本体の背面における前記シンクまたは調理部との対向位置下方に配設されていることを特徴としている。
この特徴によれば、主調理者はシンクまたは調理部を本体の正面側から利用しているときでも、子供等の副調理者は踏み台を利用して、同じシンクまたは調理部を本体の背面側、つまり主調理者とは別の方向から利用することができるため、主調理者の行動を妨げることがない。
【０００９】
本発明の請求項４に記載のキッチン台は、請求項１ないし３のいずれかに記載のキッチン台であって、
前記踏み台の下方には、物品を収納可能な収納部を有する引出体が構成されていることを特徴としている。
この特徴によれば、上下方向に所定高さを有する踏み台を、踏み板と収納部を有する引出体とから構成することで、踏み台の下方の空間も収納部として有効利用できる。
【発明を実施するための最良の形態】
【００１０】
本発明の実施例を以下に説明する。
【実施例】
【００１１】
本発明の実施例を図面に基づいて説明すると、先ず図１は、本発明の実施例におけるキッチン台の全体像を示す斜視図である。図２（ａ）は、キッチン台の上面図であり、（ｂ）は、キッチン台の背面図であり、（ｃ）は、右側面図である。図３（ａ）、はキッチン台の本体に収納された踏み台付き引出体を示す右側面図であり、（ｂ）は、キッチン台の本体から引出された踏み台付き引出体を示す背面図である。図４（ａ）は、収納位置と引出位置との間における踏み台付き引出体を示す拡大側面図であり、（ｂ）は、引出位置における踏み台付き引出体を示す拡大側面図であり、（ｃ）は、収納位置における踏み台付き引出体を示す拡大側面図である。図５は、踏み台の開閉状況を示す側面図である。
【００１２】
図１及び図２に示されるように、本実施例におけるキッチン台１は、いわゆるアイランド型のキッチン台であって、各種の収納部を備えた複数のキャビネットからなる本体２と、本体２の上面に載置された天板３とから主として構成されている。図１紙面左上側、図２（ａ）紙面上側が、キッチン台１の正面である。以下、キッチン台１の右側とはキッチン台１の正面側に立って右側のことであり、キッチン台１の左側とはキッチン台１の正面側に立って左側のことであり、キッチン台１の背面側とはキッチン台１を挟んで正面側と対向する側のことであるものとする。
【００１３】
キッチン台１の天板３には、左側の側面との角部に調理部としてのコンロ４が設けられているとともに、右側の側面との角部にシンク５が設けられている。コンロ４の背面側には、水分等の飛散防止用のパネル６が天板３から立設されている。また、正面側に立って中央側は調理部として調理台７が設けられ、この調理台７に連続して、背面側も調理部としての調理台８が設けられている。更に、キッチン台１の全周に沿って、側面には収納部としての開き戸９若しくは図示しない引出しが適宜設けられ、右側の側面には備え付けの食器洗浄機１０が設けられている。
【００１４】
キッチン台１は、基本的には、主調理者が正面側に立って調理を行うように出来ているが、調理者がキッチン台１の全周に沿って行動出来るように成っており、すなわちキッチン台１の正面側のみでなく、左右両側面若しくは背面側を利用しての調理が可能となる。このような形態のキッチン台１においては、調理者が複数である場合でもキッチン台１の全周を利用した調理が可能である。
【００１５】
次に、キッチン台１には、キッチン台１が載置された床面に対し所定高さ有する踏み台付き引出体１１、２１が設けられている。踏み台付き引出体１１を有する本体２は、上キャビネットと下キャビネットとに分割されており、踏み台付き引出体１１は、下キャビネットに設けられている。下キャビネットの踏み台付き引出体１１を出し入れするための出入口１９が、キッチン台１の正面とは異なる右側の側面に、すなわちキッチン台１の正面に設けられた上キャビネット（図示略）に対し略９０度向きを変えた右側の側面における下部において設けられている。そして、この出入口１９に踏み台付き引出体１１が嵌挿され、本体２の内部に収納される収納位置と、この収納位置から外方、すなわち右側外方に向けて十分に引き出された引出位置との間で移動自在に設けられている。同様に、踏み台付き引出体２１を出し入れするための出入口２９が、キッチン台１の背面側における下部において設けられており、この出入口２９に踏み台付き引出体２１が嵌挿され、上記と同様の収納位置と引出位置との間で移動自在に設けられている。
【００１６】
このように出入口１９、２９が、例えば主調理者が対峙するキッチン台１の本体２の正面とは異なる方向を向く側面及び／または背面に設けられていることで、主調理者の行動を妨げることなく、子供等の副調理者が踏み台を利用して主調理者とともに調理作業を行うことができる。
【００１７】
また、キッチン台１の天板３における本体２の正面と側面との角部には、シンク５及びコンロ４が設けられており、出入口１９が、本体２の側面におけるシンク５及びコンロ４との対向位置下方に配設されていることで、主調理者はシンク５またはコンロ４を本体２の正面側から利用しているときでも、子供等の副調理者は踏み台付き引出体１１を利用して、同じシンク５またはコンロ４を本体２の側面側、つまり主調理者とは別の方向から利用することができるため、主調理者の行動を妨げることがない。
【００１８】
更に、キッチン台１の天板３にシンク５及びコンロ４が設けられており、出入口２９が、本体２の背面におけるコンロ４との対向位置下方に配設されていることで、主調理者はシンク５またはコンロ４を本体２の正面側から利用しているときでも、子供等の副調理者は踏み台付き引出体２１を利用して、同じシンク５またはコンロ４を本体２の背面側、つまり主調理者とは別の方向から利用することができるため、主調理者の行動を妨げることがない。
【００１９】
踏み台付き引出体１１は、調理者などが上面に載上可能な踏み台１２と、この踏み台１２の下方において物品を収納可能な収納部１３ａを有する箱状の引出体１３と、から構成されている。同様に、踏み台付き引出体２１は、調理者などが上面に載上可能な踏み台２２と、この踏み台２２の下方において物品を収納可能な収納部を有する箱状の引出体２３と、から構成されている。
【００２０】
以下、踏み台付き引出体１１、２１は同様の構造を有しているため、踏み台付き引出体１１の構造について説明し、踏み台付き引出体２１の構造については説明を省略する。
【００２１】
踏み台付き引出体１１の引出体１３は上方に開口した箱状に形成され、この開口を開閉可能に、踏み台１２が引出体１３にヒンジ部２４及び連結部材２５により連結されており、踏み台１２と引出体１３とは、収納位置と引出位置との間を一体に移動するようになっている。
【００２２】
このように、踏み台付き引出体１１が、上面に載上可能な踏み台１２と、物品を収納可能な収納部１３ａを有する引出体１３と、から構成されていることで、踏み台１２の下方の空間も収納部１３ａとして有効利用できる。
【００２３】
次に、図３（ａ）、（ｂ）に示されるように、踏み台付き引出体１１の移動について説明すると、先ず、本体２の出入口１９と連通する内部における踏み台付き引出体１１の収納空間を構成する左右の側板２ａ、２ａの内面には、側面視コ字状に形成された固定レール１４が、前後方向に沿ってそれぞれ固着されている。そして引出体１３を構成する左右の側板１３ｂ外面に、摺動レール１５が前後方向に沿ってそれぞれ固着されるとともに、固定レール１４のコ字状の開口に前後方向にそれぞれ嵌挿されている。また、引出体１３の底板下面には、左右方向及び前後方向に所定に離間した４箇所に、キャスタ２６が設けられている。そして、踏み台付き引出体１１を収納位置に押込み若しくは引出すことで、踏み台付き引出体１１の摺動レール１５が固定レール１４に沿って摺動し、踏み台付き引出体１１が本体２に対しスムーズに移動自在となる。
【００２４】
次に、踏み台付き引出体１１の引出位置におけるロック機構について説明する。
【００２５】
先ず、引出体１３の左右両側板１３ｂ、１３ｂ外面に沿って、摺動レール１５よりも上方箇所に、係合レバー１６、１６がそれぞれ前後方向に設けられている。尚、左右両側板１３ｂ、１３ｂ外面にそれぞれ設けられている係合レバー１６、１６及び附属するその他の部材は、同じ構造を有しているため、以下、一方側の係合レバー１６に関する構造について説明し、他方側の係合レバー１６の説明は省略する。
【００２６】
係合レバー１６は、より具体的には、磁性を有する金属から主として成るとともに、後方部が斜下方に向かったテーパ部１６ａに形成されており、側板１３ｂ前方部において枢支された回動部１６ｂを中心に、左右方向の仮想の回動軸周りに所定角度回動可能に設けられている。また、係合レバー１６の略中央側の適所には、上下方向に延びる開口部１６ｄが形成されており、この開口部１６ｄに、引出体１３の側板１３ｂに固着された突起部１３ｃが嵌挿されている。このようにすることで、開口部１６ｄに嵌挿された突起部１３ｃが、係合レバー１６の回動の際におけるガイドとして機能する。
【００２７】
また、引出体１３の側板１３ｂ外面における係合レバー１６の上方側の適所に、保持手段としてのマグネット１７が、磁気を備えた磁気面を下方に向けて、固定に取付けられている。更に、本体２内部の側板２ａにおける後方側の適所には、保持状態解除部材としての解除ピン１８が、内方の引出体１３側に向かって突設され、後述のように係合レバー１６のテーパ部１６ａに当接可能に設けられている。
【００２８】
次に、図４（ａ）に示されるように、踏み台付き引出体１１の係合について説明すると、踏み台付き引出体１１が、キッチン台１の本体２に収納された収納位置と、本体２から十分に引出された引出位置との間に位置している場合、踏み台付き引出体１１は、係合レバー１６の後端部が固定レール１４の上面に当接した位置、すなわち係合待機位置で、前後方向に移動自在と成っている。
【００２９】
次に、図４（ｂ）に示されるように、踏み台付き引出体１１が、引出位置に位置した場合、固定レール１４の上面に当接していた係合レバー１６の後端部１６ｃが、固定レール１４の上面から外れて自重により下方に回動し、摺動レール１５の上面に当接するとともに後端部１６ｃが固定レール１４の前端部１４ａと係合する位置、すなわち上記した係合待機位置よりも下方の係合位置に移動する（図示点線部参照）。この係合位置においては、引出体１３の側板１３ｂに枢支された係合レバー１６の後端部１６ｃが、キッチン台１の本体２の側板２ａに固着された固定レール１４の前端部１４ａと係合することで、踏み台付き引出体１１の後方への引き出し方向の移動が規制される。
【００３０】
このように、踏み台付き引出体１１を引き出し方向に移動自在に支持する固定レール１４及び摺動レール１５を利用して係合レバー１６を係合位置において係合させることができるため、キッチン台１の本体２側に被係合部等を別個に設けなくて済む。
【００３１】
また、係合レバー１６は、引出体１３の左右側板１３ｂの外面に沿ってそれぞれ上下移動自在に設けられていることで、左右幅方向に特段のスペースをとらずに済むため、本体２の左右幅方向の収納スペースが小さくなることを防止できる。
【００３２】
尚、固定レール１４の前端部所定箇所に図示しない係止部が突設されているとともに、摺動レール１５の後端部所定箇所に図示しない突出部が設けられており、上記した踏み台の引出位置において、固定レール１４の前記係止部と摺動レール１５の前記突出部とが当接することで、踏み台付き引出体１１が本体２から抜け出すことを防止している。
【００３３】
次いで、図４（ｂ）に示されるように、踏み台付き引出体１１の係合解除について説明すると、上述した係合位置にある左右の係合レバー１６を、上方に向けて回動して上方移動操作し、係合レバー１６の上面をマグネット１７の下方を向く磁気面に当接させ、磁力により保持することで、左右の係合レバー１６を上記した係合位置及び係合待機位置よりも上方であって係合レバー１６の後端部１６ｃと固定レール１４の前端部１４ａとの係合が解除された係合解除位置に保持する。このように、係合レバー１６が係合解除位置に位置することで、踏み台付き引出体１１は、引き出し方向に本体２に対して前後移動自在となる。
【００３４】
このように、係合レバー１６は、引出体１３の左右側板１３ｂの外面に沿ってそれぞれ前後幅方向にわたり延設されていることで、係合レバー１６を保持する上方移動操作を引出体１３の前方側で簡便に行うことができる。
【００３５】
次に、図４（ｃ）に示されるように、踏み台付き引出体１１を収納位置に向けて押し込むに従い、係合レバー１６のテーパ部１６ａが、本体２に固着された解除ピン１８と当接して漸次下方に押圧され、係合レバー１６はマグネット１７から離れて自重により下方に回動し、係合レバー１６の後端部１６ｃが再び固定レール１４の上面に当接した係合待機位置に戻る。すなわち、係合レバー１６の保持状態が解除され、踏み台付き引出体１１は、係合レバー１６が係合待機位置にいる状態で前後方向に移動自在と成る。
【００３６】
上述したように、踏み台付き引出体１１を収納位置から引き出して使用する際には、引出位置において係合レバー１６が自重により係合待機位置から下方の係合位置まで移動して本体所定箇所に係合することで、引き出し方向への移動が規制される。踏み台付き引出体１１を収納する際には、左右の係合レバー１６それぞれを別々に上方移動操作して保持手段としてのマグネット１７に保持させておくことができるため、踏み台付き引出体１１の左右幅寸法が広い場合でも、左右の係合レバー１６を確実に係合解除位置に保持した状態で収納することができる。また、収納位置に収納することで、係合解除位置に保持された係合レバー１６は係合待機位置まで自重により移動するため、次回引き出すときに係合レバー１６が保持手段により保持されたままで係合が行われないといった事態を回避できる。
【００３７】
また、係合レバー１６は自重により係合待機位置から係合位置まで移動するため、簡単な機構で移動規制を行うことができる。
【００３８】
また、このように、保持手段はマグネット１７であり、係合レバー１６を磁力により保持可能であるとともに、保持状態解除部材は係合レバー１６に当接可能に設けられた解除ピン１８であることで、係合レバー１６の保持及び保持解除を簡単な機構で行うことができる。
【００３９】
次に、図５に示されるように、踏み台付き引出体１１の踏み台１２の開閉構造について説明すると、踏み台１２は、後端部においてヒンジ部２４により引出体１３と連結されており、左右方向の仮想の回動軸回りに回動することで、引出体１３の上部開口を開閉可能に成っている。また、ヒンジ部２４とは別に、踏み台１２と引出体１３とを連結する調節式の連結部材２５が設けられており、この連結部材２５により、踏み台１２が引出体１３の上部開口を所定角度で開放した状態を保持できる。
【００４０】
尚、踏み台の開閉構造については、必ずしも本実施例に限定されるものではなく、例えば、踏み台がスライド式に移動して引出体の上部開口を開閉するものであってもよい。
【００４１】
以上、本発明の実施例を図面により説明してきたが、具体的な構成はこれら実施例に限られるものではなく、本発明の要旨を逸脱しない範囲における変更や追加があっても本発明に含まれる。
【００４２】
例えば、上記実施例では、キッチン台１は、アイランド型のキッチン台であって、天板にシンク５や調理部としてコンロ４が設けられているが、キッチン台の型や、シンクまたは調理部の配置については、必ずしも本実施例に限られず、例えばＩ型やＬ型のキッチン台であってもよいし、また、天板にシンクまたは調理部のみが設けられたキッチン台であっても構わない。
【００４３】
また、上記実施例では、キッチン台１の右側の側面及び背面の２箇所において踏み台付き引出体１１、２１の出入口１９、２９が設けられているが、出入口の設けられる位置は、キッチン台の正面とは異なる側面若しくは背面の少なくともいずれか一方であれば、具体的な設置位置や数量は、必ずしも本実施例に限られない。
【００４４】
また、上記実施例では、係合レバー１６は、引出体１３の前方部において枢支された回動部１６ｂを中心に、左右方向の仮想の回動軸回りに回動可能であって、係合待機位置、係合位置、及び係合解除位置に移動可能に設けられているが、係合レバーは、例えば前後方向の回動軸回りに回動可能であって、係合待機位置、係合位置、及び係合解除位置に移動可能に設けられていてもよい。
【００４５】
更に、上記実施例では、踏み台１２に引出体１３が連結された踏み台付き引出体１１が、キッチン台１の本体２の出入口１９に出し入れ可能に構成されているが、上下方向に延びる脚部を備えたシンプルな踏み台が、キッチン台の本体の出入口に出し入れ可能に構成されていてもよい。
【図面の簡単な説明】
【００４６】
【図１】本発明の実施例におけるキッチン台の全体像を示す斜視図である。
【図２】（ａ）は、キッチン台の上面図であり、（ｂ）は、キッチン台の背面図であり、（ｃ）は、右側面図である。
【図３】（ａ）、はキッチン台の本体に収納された踏み台付き引出体を示す右側面図であり、（ｂ）は、キッチン台の本体から引出された踏み台付き引出体を示す背面図である。
【図４】（ａ）は、収納位置と引出位置との間における踏み台付き引出体を示す拡大側面図であり、（ｂ）は、引出位置における踏み台付き引出体を示す拡大側面図であり、（ｃ）は、収納位置における踏み台付き引出体を示す拡大側面図である。
【図５】踏み台の開閉状況を示す側面図である。
【符号の説明】
【００４７】
１                キッチン台
２                本体
３                天板
４                コンロ（調理部）
５                シンク
７                調理台（調理部）
８                調理台（調理部）
１１              踏み台付き引出体
１２              踏み台
１３              引出体
１３ａ            収納部
１３ｂ            側板
１４              固定レール
１５              摺動レール
１６              係合レバー
１７              マグネット
１８              解除ピン
１９              出入口
２１              踏み台付き引出体
２２              踏み台
２３              引出体
２４              ヒンジ部
２９              出入口
【図１】
2008228753.tif 000003
【図２】
2008228753.tif 000004
【図３】
2008228753.tif 000005
【図４】
2008228753.tif 000006
【図５】
2008228753.tif 000007